(57)【要約】      （修正有）【課題】水や塵等の異物を意匠カバー内の機器類を避けて外部に排出でき、しかも構造が複雑化するおそれや余計なメンテナンスが必要となる弊害が生じない建設機械の物入れを提供する。【解決手段】運転席近くの空調設備を覆う意匠カバー８に凹部１２を、運転席側である前面が開口する状態で設けるとともに、前面部材１３を、この凹部１２の前面開口の下部を覆い、かつ、底面との間に排出口としての隙間１９が形成される状態で取付けてドリンクホルダ９を構成し、異物を隙間１９から前面側に排出するように構成した。【選択図】図３
2013086517.tif 000002
【特許請求の範囲】
【請求項１】
運転席近くの機器類を覆う意匠カバーに凹部を、運転席側である前面が開口する状態で設けるとともに、この凹部の前面開口の下部を覆う状態で前面部材を取付けて構成し、かつ、ドリンク容器等の物品を支持する底面と、この底面上の水、塵等の異物を下端部から前面側に向けて排出する排出口とを具備することを特徴とする建設機械の物入れ。
【請求項２】
上記凹部を、上記底面を備えた底付きの凹部として形成したことを特徴とする請求項１記載の建設機械の物入れ。
【請求項３】
上記前面部材を、上記底面との間に上記排出口としての隙間が形成される状態で取付けたことを特徴とする請求項１または２記載の建設機械の物入れ。
【請求項４】
上記底面を前下がりの傾斜面として形成したことを特徴とする請求項１〜３のいずれか１項に記載の建設機械の物入れ。
【請求項５】
上記凹部の奥面を前傾面として形成したことを特徴とする請求項４記載の建設機械の物入れ。
【請求項６】
上記凹部及び上記前面部材を、両者によって水平断面視で大略円形の収容空間が形成されるようにそれぞれ水平断面視で半円形に形成したことを特徴とする請求項１〜５のいずれか１項に記載の建設機械の物入れ。
【請求項７】
上記前面部材の幅方向の両側に取付部を一体に設けるとともに、この両側取付部の裏面に取付穴を設け、上記意匠カバーに裏面側から貫通させたねじを上記取付穴にねじ込んで上記意匠カバーを取付けるように構成したことを特徴とする請求項１〜６のいずれか１項に記載の建設機械の物入れ。
【発明の詳細な説明】
【技術分野】
【０００１】
本発明はショベル等の建設機械において、ドリンクホルダ等として設けられる物入れに関するものである。
【背景技術】
【０００２】
作業車両において、運転席近くのパネル材に凹部を設けてドリンクホルダを構成する技術は特許文献１に示されるように公知である。
【０００３】
この公知技術においては、パネルのほぼ水平な部分を下向きに凹ませ、この凹部にドリンク容器(ペットボトル、水筒等)を収容する構成をとっており、ショベル等の建設機械においてもこの技術を応用することが可能である。
【０００４】
この場合、キャビン付きの建設機械では、たとえばキャビン用の空調設備(ダクトや電気配線等)を覆う意匠カバー(内装パネル)の上面部分に凹部を設けることとなる。
【先行技術文献】
【特許文献】
【０００５】
【特許文献１】特開２００５−３１３７４９号公報
【発明の概要】
【発明が解決しようとする課題】
【０００６】
上記のように凹部によって構成される物入れにあっては、凹部底面に溜まった水や塵を外部に排出する必要がある。このため、上記公知技術では凹部底面に排出穴を設けている。
【０００７】
しかし、この構成によると、水や塵が意匠カバーの内側、すなわち、同カバーで覆われた機器類に向けて排出され、機器類に付着するため、機器類、とくに電気配線やスイッチ等の電装品に悪影響を与えるおそれがあった。
【０００８】
この点の対策として、排出穴にチューブを接続し、異物を機械外部に排出する構成をとることが考えられるが、構造が複雑化するとともにチューブの詰まり管理等のメンテナンスが必要となる弊害が生じる。
【０００９】
そこで本発明は、水や塵等の異物を意匠カバー内の機器類を避けて外部に排出でき、しかも構造が複雑化するおそれや余計なメンテナンスが必要となる弊害が生じない建設機械の物入れを提供するものである。
【課題を解決するための手段】
【００１０】
上記課題を解決する手段として、本発明においては、運転席近くの機器類を覆う意匠カバーに凹部を、運転席側である前面が開口する状態で設けるとともに、この凹部の前面開口の下部を覆う状態で前面部材を取付けて構成し、かつ、ドリンク容器等の物品を支持する底面と、この底面上の水、塵等の異物を下端部から前面側に向けて排出する排出口とを具備するものである。
【００１１】
この構成によれば、物入れ底面上に溜まった水や塵等の異物を、意匠カバーの内側ではなく、前面側に排出するため、意匠カバーで覆われた機器類、とくに電装品に悪影響を与えるおそれがない。
【００１２】
しかも、排出される異物を外部に導くチューブが不要であるため構造が簡単ですむ。
【００１３】
また、排出される異物はごみ容器で受けることもできるし、フロアマット上に落としてマットごと清掃することもできる。とくに建設機械では、元々フロアマットが泥等で汚れ易く、頻繁に清掃されるため、物入れ内の異物をそのまま落としても実害はない。
【００１４】
本発明においては、上記凹部を、上記底面を備えた底付きの凹部として形成するのが望ましい(請求項２)。
【００１５】
このように凹部そのものに底面を形成すれば、底面を形成する他の手段として前面部材に底板を延設し、この底板を凹部奥面に突き合わせて底面を形成する場合のように上記突合せの隙間に異物が入り込むおそれがない。
【００１６】
また、本発明においては、上記前面部材を、上記底面との間に上記排出口としての隙間が形成される状態で取付けるのが望ましい(請求項３)。
【００１７】
このように排出口を物入れ下端の隙間として形成することにより、たとえば前面部材の下端部に横長の穴を設けて排出口とする場合と比較して、前面部材の成形が容易であるとともに、異物の取り残しがない。
【００１８】
本発明においては、上記底面を前下がりの傾斜面として形成するのが望ましい(請求項４)。
【００１９】
こうすれば、異物を排出し易く、とくに水等の液体の場合は底面沿いに流下させて自動排出することができる。
【００２０】
この場合、ペットボトル等のドリンク容器を収容すると容器が前傾姿勢となり、その分、凹部奥面との隙間が大きくなって振動による動揺時の揺れ幅が大きくなるため、これを抑えるために、上記凹部の奥面を前傾面として形成するのが望ましい(請求項５)。
【００２１】
一方、本発明において、上記凹部及び上記前面部材を、両者によって水平断面視で大略円形の収容空間が形成されるようにそれぞれ水平断面視で半円形に形成するのが望ましい(請求項６)。
【００２２】
この構成によれば、ペットボトルやカップのような円筒状の容器を収容する場合に、容器の移動や動揺を抑えることができるとともに、コーナー部が生じないことにより清掃がより簡単となる。
【００２３】
一方、本発明において、上記前面部材の幅方向の両側に取付部を一体に設けるとともに、この両側取付部の裏面に取付穴を設け、上記意匠カバーに裏面側から貫通させたねじを上記取付穴にねじ込んで上記意匠カバーを取付けるように構成するのが望ましい(請求項７)。
【００２４】
このように前面部材を意匠カバーの裏側から取付ける構成をとることにより、取付ねじが前面に露出しないため、意匠カバー本来の美観維持の点で有利となる。
【発明の効果】
【００２５】
本発明によると、水や塵等の異物を意匠カバー内の機器類を避けて外部に排出でき、しかも構造が複雑化するおそれや余計なメンテナンスが必要となる弊害が生じない。
【図面の簡単な説明】
【００２６】
【図１】本発明の実施形態に係るドリンクホルダが設けられたショベルの一部切欠き側面図である。
【図２】同、キャビン内の斜視図である。
【図３】ドリンクホルダを含めた意匠カバーの斜視図である。
【図４】前面部材を取付ける前の図３相当図である。
【図５】図３のＶ−Ｖ線拡大断面図である。
【図６】図５のＶＩ−ＶＩ線断面図である。
【図７】図６の一部拡大図である。
【発明を実施するための形態】
【００２７】
実施形態は、キャビン付きのショベルにおいて、キャビン内の空調設備を覆う意匠カバーに、ペットボトル等のドリンク容器を収容するドリンクホルダを設けた場合を例にとっている。
【００２８】
図１において、１はクローラ式の下部走行体で、この下部走行体１上に上部旋回体２が旋回自在に搭載され、この上部旋回体２の前部に作業アタッチメント(一部のみを示す)３が装着されるとともにキャビン４が搭載されてショベルが構成される。
【００２９】
図２はこのキャビン４内の一部を示し、フロア５上に運転席６が設けられるとともに、運転席前方に作業用レバー(二本のみを示す)７が設けられる。
【００３０】
また、運転者から見て右側前部に、空調設備を覆うプラスチック製の意匠カバー８が設けられ、この意匠カバー８における運転席近く(運転者の手の届く位置)の前面にドリンクホルダ９が設けられている。
【００３１】
なお、この明細書において、意匠カバー８及びドリンクホルダ９に関しての「前面」とは、キャビン４内に臨む面であって、運転席６に着座した運転者から見た場合のカバー左側の面をさす。
【００３２】
意匠カバー８は、図３〜図６に示すように全体が前膨らみとなったパネルとして形成され、ダクトや電気配線等の空調設備を覆う状態でキャビン側壁内面にねじ止め等によって取付けられる。
【００３３】
この意匠カバー８の前面上部等に、空調設備として必要なもの(図３，４に示す空気吹き出し口１０や空調コントロール用のスイッチパネル１１等)が設けられるとともに、前面中間部に縦長の凹部１２が、前面が開口する状態で設けられている。
【００３４】
この凹部１２は、被収容物である円筒状のドリンク容器Ｄ(図６参照)を適度の余裕をもって縦置き状態で収容し得るように、水平断面視で半円形で、かつ、前向きに突出する底面１２ａを備えた底付き凹部として形成され、この凹部１２の前面開口の下部を覆う状態でプラスチック製の前面部材１３が取付けられてドリンクホルダ９が構成されている。
【００３５】
前面部材１３は、同部材１３と凹部１２とによって大略円形の収容空間が形成されるように水平断面視で半円形に形成されている。
【００３６】
この前面部材１３の幅方向両側に厚肉の取付部１４，１４が一体に連設され、図５に示すようにこの両側取付部１４，１４の裏面に複数(たとえば上下に二つ)の取付穴１５が設けられている。
【００３７】
一方、意匠カバー８の下部における凹部１２の左右両側縁部に取付穴１５と同数の貫通穴１６が設けられ、複数の取付ねじ１７が同カバー裏面側からこの貫通穴１６を介して取付穴１５にねじ込まれることによって前面部材１３が凹部１２の前面開口下部に取付けられる。
【００３８】
図５，６中、１８…は前面部材１３の内面に縦横に設けられた補強リブである。
【００３９】
ここで、前面部材１３は、その下端と凹部底面１２ａとの間に排出口としての隙間１９が形成される状態で取付けられ、布やブラシを用いた清掃時に、凹部底面１２ａ上に溜まった水や塵等の異物(図７中に黒点で示す)を隙間１９から前面側(キャビン内)に向けて掃き出し得るように構成されている。
【００４０】
また、異物の排出を助けるために、図６，７に示すように凹部１２の底面１２ａが緩やかな前下がりの傾斜面として形成されている。図６中のＡは底面１２ａの傾斜を明らかにするための水平線である。
【００４１】
この場合、凹部底面１２ａの傾斜により、ドリンク容器Ｄが前傾姿勢で収容され、同容器Ｄと凹部奥面１２ｂとの隙間が大きくなって振動による動揺時の揺れ幅が大きくなる。
【００４２】
そこで、この容器Ｄの動揺を抑えるために、図６に示すように凹部１２の奥面１２ｂが、底面１２ａと直角をなす前傾面として形成されている。図６中のＢは奥面１２ｂの傾きを分かり易くするための鉛直線である。
【００４３】
このドリンクホルダによると、底面１２ａ上に溜まった水や塵等の異物を、意匠カバー８の内側ではなく、前面側に排出するため、意匠カバー８で覆われた機器類、とくに電装品に悪影響を与えるおそれがない。
【００４４】
しかも、排出される異物を外部に導くチューブが不要であるため構造が簡単ですむ。
【００４５】
また、排出される異物はごみ容器で受けることもできるし、図２中のフロア５上に敷かれたフロアマット(図示省略)上に落としてマットごと清掃することもできる。とくに建設機械では、元々フロアマットが泥等で汚れ易く、頻繁に清掃されるため、異物をそのまま落としても実害はない。
【００４６】
また、このドリンクホルダによると次の効果を得ることができる。
【００４７】
(Ｉ)  凹部１２そのものに底面１２ａを形成しているため、前面部材１３に底板を延設し、この底板を凹部奥面１２ｂに突き合わせて底面を形成する場合のように突合せの隙間に異物が入り込むおそれがない。
【００４８】
(ＩＩ)  前面部材１３を、凹部底面１２ａとの間に隙間１９が形成される状態で取付け、この隙間１９を排出口としているため、たとえば前面部材１３の下端部に横長の穴や切欠を設けて排出口とする場合と比較して、前面部材１３の成形が容易であるとともに、異物の取り残しがない。
【００４９】
(ＩＩＩ)  凹部底面１２ａを前下がりの傾斜面としているため、異物を排出し易く、とくに水等の液体の場合に底面沿いに流下させて自動排出することができる。
【００５０】
(ＩＶ)  凹部底面１２ａを前下がりの傾斜面としたことに伴い、凹部１２の奥面１２ｂを前傾面として形成しているため、ドリンク容器Ｄを収容した状態で同容器Ｄと奥面１２ｂとの隙間を小さくして容器Ｄの動揺を抑えることができる。
【００５１】
(Ｖ)  凹部１２及び前面部材１３を、両者によって水平断面視で大略円形の収容空間が形成されるようにそれぞれ水平断面視で半円形に形成しているため、ペットボトルやカップのような円筒状の容器を収容する場合に、容器の動揺を抑えることができるとともに、ホルダ内にコーナー部が生じないことにより清掃がより簡単となる。
【００５２】
(ＶＩ)  前面部材１３を意匠カバー８の裏側から取付ける構成をとっているため、取付用のねじがカバー前面に露出しない。このため、意匠カバー本来の美観維持の点で有利となる。
【００５３】
他の実施形態
(１)  凹部１２の奥面１２ｂは必ずしも底面１２ａに対して直角とする必要はなく、直角よりも小さい角度、または大きい角度をなす前傾面として形成してもよい。
【００５４】
あるいは、奥面１２ｂを鉛直面としてもよい。
【００５５】
また、凹部底面１２ａを水平面として形成してもよい。この場合、凹部奥面１２ｂは鉛直面としてもよいし、わずかな前傾または後傾面としてもよい。
【００５６】
(２)  意匠カバー８に対する前面部材１３の取付手段は、上記実施形態で挙げたねじ止めに限らず、他の手段、たとえば意匠カバー８と前面部材１３の一方に突設した弾性突片を、他方に設けた係合穴に弾性係合させる手段等を用いてもよい。
【００５７】
(３)  上記実施形態では、キャビン内空調設備を覆う意匠カバー８にドリンクホルダ９を設ける場合を例にとったが、運転席近くの他の意匠カバーに設けることもできる。
【００５８】
(４)  本発明は、ドリンクホルダに限らず、筆記具や小書類、コイン等の小物を収納する、広い意味での物入れとして上記同様に実施することができる。
【００５９】
この場合、凹部１２及び前面部材１３の水平断面形状は、用途に応じて円形以外に四角形、楕円形等、種々選択することができる。
【００６０】
また本発明は、物入れを必要とする建設機械であれば、キャビン付きのショベルに限らず、キャビンを持たないショベルにも、またショベル以外の建設機械にも広く適用することができる。
【符号の説明】
【００６１】
Ｄ  ドリンク容器
６  運転席
８  意匠カバー
９  物入れとしてのドリンクホルダ
１２  凹部
１２ａ  凹部の底面
１２ｂ  凹部の奥面
１３  前面部材
１４  取付部
１５  取付穴
１６  貫通穴
１７  取付ねじ
１９  排出口としての隙間
【図１】
2013086517.tif 000003
【図２】
2013086517.tif 000004
【図３】
2013086517.tif 000005
【図４】
2013086517.tif 000006
【図５】
2013086517.tif 000007
【図６】
2013086517.tif 000008
【図７】
2013086517.tif 000009